(57)【要約】【課題】  カテーテルに癖をつけることなく清潔状態を保ったまま再利用可能な状態で保管し得る容器を提供する。【解決手段】  カテーテル１０を内包し得る袋状を成す防水性の第１部材３６と、その第１部材３６と一体的に設けられた、その第１部材３６に連通する開口４２を有する第２部材３８と、その第２部材３８を所定位置に固定するためにその第２部材３８と一体的に設けられた第３部材４０とを、備えていることから、製品包装としても使用可能であると共に、前記第１部材３６に消毒液を入れてその中に前記カテーテル１０を浸漬し、前記第３部材４０により前記容器３４を所定位置に固定することで、前記カテーテル１０を曲げずに簡単に保管することができる。【選択図】  図４
2005342084.tif 000002
【特許請求の範囲】
【請求項１】
人体に挿入して用いるためのカテーテルの容器であって、
該カテーテルを内包し得る袋状を成す防水性の第１部材と、
該第１部材と一体的に設けられた、該第１部材に連通する開口を有する第２部材と、
該第２部材を所定位置に固定するために該第２部材と一体的に設けられた第３部材と
を、備えていることを特徴とするカテーテルの容器。
【請求項２】
前記第２部材及び第３部材は、１枚の平板状部材として一体に形成されたものである請求項１のカテーテルの容器。
【請求項３】
前記第３部材は、前記平板状部材を所定位置に固定する固定具を取り付け易くするための固定補助穴を厚み方向に貫通して有するものである請求項２のカテーテルの容器。
【請求項４】
前記平板状部材は、前記第２部材及び第３部材が互いに垂直を成すように折り曲げ易くするための折り筋を有するものである請求項２又は３のカテーテルの容器。
【請求項５】
前記第２部材及び第３部材が互いに垂直を成すように折り曲げられたとき、それら第２部材及び第３部材に接触してそれ以上内側に折り曲げられないようにするための第４部材を備えたものである請求項２から４の何れかのカテーテルの容器。
【請求項６】
前記カテーテルが前記第１部材に内包され、且つ前記平板状部材における該第１部材が設けられていない側の面に前記開口を塞ぐための膜材が貼られたものである請求項２から５の何れかのカテーテルの容器。
【請求項７】
前記第２部材は、テーパ状又は円筒状を成す所定の容器を保持するための円形の保持穴を厚み方向に貫通して有するものである請求項２から６の何れかのカテーテルの容器。
【発明の詳細な説明】
【技術分野】
【０００１】
本発明は、人体に挿入して用いるためのカテーテルの容器に関する。
【背景技術】
【０００２】
人体に挿入して用いるためのカテーテルの一例として、全身麻酔に際しての人工呼吸中に人体の気管内における痰等の粘液を吸引除去するための気管内吸引カテーテルが医療の分野で用いられている。例えば、特許文献１に記載された気管内吸引プローブがそれである。斯かる気管内吸引カテーテルは、軟質の合成樹脂等から成る管状の部材であり、衛生上１回の使用で廃棄されることが望ましいとされている。しかし、同一の被使用者に対して比較的短い時間の間に多くの回数の気管内吸引を行う場合には、一旦カテーテルが不潔になってしまえば捨てるというのではそれに応じて多くの気管内吸引カテーテルを廃棄しなければならず、不経済であると共に医療廃棄物が増えるという弊害があった。そこで、使用した気管内吸引カテーテルを清拭し、滅菌水を吸引する等して内部の粘液を取り除いた後、消毒液に浸漬して保管し再使用することが広く行われている。
【０００３】
【特許文献１】特表２００１−５０００４８号公報
【０００４】
しかし、前記従来の方法では、消毒液の入った容器に気管内吸引カテーテルを曲げ入れて保管するものであったことから、斯かる保管が比較的長時間に及ぶことによりその気管内吸引カテーテルに癖がついてしまい、ひいては不潔状態（医療上の概念として目視による不潔のみならず細菌等の付着した状態）になり易く、再使用し難くなるという不具合があった。また、専用の容器としては例えばステンレス等の金属から成る高価で且つ使いづらいものしか普及していなかった。すなわち、カテーテルに癖をつけることなく好適に保管し得る容器が求められていた。
【発明の開示】
【発明が解決しようとする課題】
【０００５】
本発明は、以上の事情を背景として為されたものであり、その目的とするところは、カテーテルに癖をつけることなく清潔状態を保ったまま再利用可能な状態で保管し得る容器を提供することにある。
【課題を解決するための手段】
【０００６】
斯かる目的を達成するために、本発明の要旨とするところは、人体に挿入して用いるためのカテーテルの容器であって、そのカテーテルを内包し得る袋状を成す防水性の第１部材と、その第１部材と一体的に設けられた、その第１部材に連通する開口を有する第２部材と、その第２部材を所定位置に固定するためにその第２部材と一体的に設けられた第３部材とを、備えていることを特徴とするものである。
【発明の効果】
【０００７】
このようにすれば、前記カテーテルを内包し得る袋状を成す防水性の第１部材と、その第１部材と一体的に設けられた、その第１部材に連通する開口を有する第２部材と、その第２部材を所定位置に固定するためにその第２部材と一体的に設けられた第３部材とを、備えていることから、前記第１部材に消毒液や滅菌蒸留水等を入れてその中に前記カテーテルを浸漬し、前記第３部材により前記容器を所定位置に固定することで、前記カテーテルを曲げずに簡単に保管することができる。すなわち、カテーテルに癖をつけることなく清潔状態を保ったまま、且つ粘液容器（吸引瓶）に付属するコックを解放状態にしたままで好適に保管し得る容器を提供することができる。
【０００８】
ここで、好適には、前記第２部材及び第３部材は、１枚の平板状部材として一体に形成されたものである。このようにすれば、前記容器を粘着テープ等の固定具により床面に対して垂直又は平行に配設された柱や平面等に対して簡単に固定できるという利点がある。
【０００９】
また、好適には、前記第３部材は、前記平板状部材を所定位置に固定する固定具を取り付け易くするための固定補助穴を厚み方向に貫通して有するものである。このようにすれば、前記容器を粘着テープ等の固定具により更に簡単に固定できるという利点がある。
【００１０】
また、好適には、前記平板状部材は、前記第２部材及び第３部材が互いに垂直を成すように折り曲げ易くするための折り筋を有するものである。このようにすれば、前記容器を立設された支柱等に好適に固定できるという利点がある。
【００１１】
また、好適には、前記第２部材及び第３部材が互いに垂直を成すように折り曲げられたとき、それら第２部材及び第３部材に接触してそれ以上内側に折り曲げられないようにするための第４部材を備えたものである。このようにすれば、前記容器を立設された支柱等に更に好適に固定できるという利点がある。
【００１２】
また、好適には、前記カテーテルが前記第１部材に内包され、且つ前記平板状部材におけるその第１部材が設けられていない側の面に前記開口を塞ぐための膜材が貼られたものである。このようにすれば、前記容器を滅菌処理されたカテーテルを清潔状態に保ちながら運搬に供する出荷から開封に至るまでの包装として使用できるという利点がある。
【００１３】
また、好適には、前記第２部材は、テーパ状又は円筒状を成す所定の容器を保持するための円形の保持穴を厚み方向に貫通して有するものである。このようにすれば、前記所定の容器に消毒液等を入れて好適に備え置くことができるという利点がある。
【実施例１】
【００１４】
以下、本発明の好適な実施例を図面に基づいて詳細に説明する。
【００１５】
図１は、本発明の容器に好適に収容される気管内吸引カテーテル１０（以下、単にカテーテル１０と称する）を説明する図である。この図１に示すカテーテル１０は、好適には、軟質の合成樹脂等から成る長さ寸法５００乃至６００ｍｍ程度、径寸法３乃至５ｍｍφ程度の管状（中空）の部材であり、その両端に端部開口１２、１４を備えている。斯かる寸法は使用対象によって異なり、新生児、小児用のものは長さ寸法１５０乃至２５０ｍｍ程度、径寸法２乃至３ｍｍφ程度のものもある。上記カテーテル１０の側部における開口１４の近傍には、人体の気管内における粘液を吸引除去するための側部開口１６、１８が形成されている。また、図１に示すように、上記カテーテル１０は、好適には、上記端部開口１２から１４に向けて部分的に径寸法が漸減するテーパ部２０を有するものである。なお、テーパ部を有しない円筒状のカテーテルも広く用いられており、後述する本実施例の容器３４は、斯かる円筒状のカテーテルの容器としても好適に用いられる。
【００１６】
図２は、上記カテーテル１０が吸引装置２２に取り付けられた様子を説明する模式図である。この図２に示す吸引装置２２は、人体の気管内から吸引された粘液を溜めるための吸引瓶である粘液容器２４と、上記カテーテル１０の端部開口１２に接続されてそのカテーテル１０を上記粘液容器２４に連通させるための第１チューブ２６と、上記カテーテル１０等を介して人体の気管内における粘液を吸引するための吸引ポンプ２８と、上記粘液容器２４とその吸引ポンプ２８とを連通させるための第２チューブ３０と、その第２チューブ３０内に流入する気体の流量乃至は開閉を調節し、ひいては上記カテーテル１０による粘液の吸引量を調節するためのコック３２とを、備えて構成されている。また、図２では図示を省略しているが、上記粘液容器２４の内圧を表示させるための圧力計がその粘液容器２４と連通して備えられている。
【００１７】
上述のように構成された吸引装置２２による人体の気管内における粘液の吸引では、前記カテーテル１０が人体の気管内に挿入され、適宜軸心まわりに回転させられながら気管内を移動させられる。それと同期して上記吸引ポンプ２８が駆動させられると、上記粘液容器２４内の気体がその吸引ポンプ２８により吸引され、ひいては前記カテーテル１０を介して人体の気管内における粘液が吸引される。そのカテーテル１０により吸引された粘液は上記第１チューブ２６を通って上記粘液容器２４内に蓄積される。そして、所定量の粘液が溜まったところでその粘液容器２４が取り替えられる。また、上記コック３２により前記カテーテル１０により粘液の吸引量が調節されると共に、そのコック３２により第２チューブ３０との間の開閉が行われる。図２では図示を省略しているが、上記第２チューブ３０の一部には吸引圧調節弁が設けられており、その弁のノブにより吸引圧の調整が行われ、ひいては粘液の吸引量の調節が行われるようになっている。なお、上記吸引ポンプ２８は、好適には、室外に設置されるものであり、中央パイピングに連通したアダプタが室内壁に設けられ、そのアダプタに接続されて使用されることが多い。そのようにして上記吸引装置２２により人体の気管内における粘液が吸引される。
【００１８】
図３は、前記カテーテル１０が本発明の一実施例である気管内吸引カテーテルの容器３４（以下、単に容器３４と称する）に収容されている様子を示す平面図であり、図４は、その容器３４を図３の矢印ＩＶで示す方向から見た正面図である。これら図３及び図４に示すように、上記容器３４は、前記カテーテル１０を内包し得る袋状を成す防水性の第１部材３６と、その第１部材３６と一体的に設けられた、その第１部材３６に連通する開口４２を有する第２部材３８と、その第２部材３８を所定位置に固定するためにその第２部材３８と一体的に設けられた第３部材４０とを、備えて構成されている。この容器３４は、前記カテーテル１０の出荷乃至は販売段階における包装（カバー）として機能するものであり、そのカテーテル１０が上記第１部材３６に内包され、且つ上記第２部材３８におけるその第１部材３６が設けられていない側の面に上記開口４２を塞ぐための膜材４４が貼られている。この膜材４４は、上記第２部材３８にまで及ぶものであっても構わない。前記カテーテル１０の使用に際しては、斯かる膜材４４が剥がされて上記第１部材３６内からそのカテーテル１０が取り出される。なお、図３においては、上記膜材４４の一部を切り欠いて示している。
【００１９】
上記第１部材３６は、好適には、エタノール添加塩化ベンザルコニウムやエタノール添加クロルヘキシジン等の消毒液に溶けない肉厚０．３乃至２．０ｍｍ程度の合成樹脂から成る長手寸法５１０乃至６１０ｍｍ程度の透明乃至は半透明の袋である。斯かる第１部材３６の長手寸法は、少なくともその第１部材３６に収容される前記カテーテル１０の長さ寸法よりも長いものとされ、その第１部材３６の容積は、前記カテーテル１０を消毒するのに十分な量の消毒液を湛え得るものとされる。また、滅菌ガスを通過させ得る性能を有するものであればなお好ましい。
【００２０】
前記第２部材３８及び第３部材４０は、好適には、ボール紙等から成る１枚の平板状部材として一体に形成されたものであり、それら第２部材３８及び第３部材４０が互いに垂直を成すように折り曲げ易くするための折り筋４６がそれら第２部材３８及び第３部材４０の間に形成されている。また、前記第２部材３８及び第３部材４０が互いに垂直を成すように折り曲げられたとき、それら第２部材３８及び第３部材４０に接触してそれ以上内側に折り曲げられないようにするための第４部材４８を備えている。この第４部材４８は、好適には、比較的弾性率の低い海綿状の合成樹脂が直方体状に形成されたものであり、前記第２部材３８又は第３部材４０における前記第１部材３６が設けられている側の面に、その長手方向が上記折り筋４６と平行を成すように、且つその折り筋４６に沿って固着されている。また、この第４部材は、厚紙を前記カテーテル１０の方向に二重にＶ字状に折り曲げ、三角形状を形成して第２部材３８と第３部材４０とが成す直角が崩れないように重なる部分を接着剤や強力な両面テープ等により粘着させたもの等でもよく、斯かる部材によっても同様の効果が得られる。
【００２１】
前記第３部材４０には、前記容器３４を所定位置に固定する固定具を取り付け易くするための１対の第１固定補助穴５０ａ、５０ｂ（以下、特に区別しない場合には単に第１固定補助穴５０と称する）及び第２固定補助穴５２が厚み方向に貫通して形成されている。上記第１固定補助穴５０は、前記第２部材３８及び第３部材４０から成る平板状部材の長手方向に平行を成すように形成されたスリットである。また、好適には、上記第１固定補助穴５０ａ、５０ｂそれぞれの両端から上記平板状部材の外縁にかけてミシン目５４ａ、５４ｂが形成されており、後述する図７に示すように、前記第３部材４０の一部が容易にちぎり取れるようになっている。また、上記第２固定補助穴５２は、前記第２部材３８及び第３部材４０から成る平板状部材の中央近傍すなわち上記折り筋４６の近傍に、その平板状部材の長手方向に垂直を成すように形成されたスリットである。
【００２２】
図５は、前記容器３４が床面に垂直に立設された点滴ポール等の支柱５６に固定された様子を示す平面図であり、図６は、その容器３４を図５の矢印ＶＩで示す方向から見た正面図である。また、図７は、その容器３４を図６の矢印ＶＩＩで示す方向から見た側面図である。本実施例の容器３４は、前記膜材４４を剥いで前記カテーテル１０を取り出した後はそのカテーテル１０の保持具（保管容器）として機能するものであり、好適には、図５乃至図７に示すように、上記第１固定補助穴５０ａ、５０ｂそれぞれの両端から上記平板状部材の外縁にかけてミシン目５４ａ、５４ｂに沿って前記第３部材４０の一部がちぎり取られ、前記第２部材３８及び第３部材４０が互いに垂直を成すように折り曲げられたうえで上記支柱５６に固定具である粘着テープ５８等により固定されて用いられる。前記第２部材３８が床面に対して略平行とされることで、前記第１部材３６内に消毒液が注がれた際にこぼれずに済むのである。そのように所定位置に固定された前記容器３４の第１部材３６内にエタノール添加塩化ベンザルコニウムやエタノール添加クロルヘキシジン等の消毒液が湛えられ、その消毒液の中に前記カテーテル１０が浸漬されることで、そのカテーテル１０に癖をつけることなく雑菌の繁殖を抑えて好適に保管することができる。なお、この態様では、前記第４部材４８が前記第２部材３８及び第３部材４０に接触させられるため、それら第２部材３８及び第３部材４０の成す角が略垂直に保たれるようになっている。
【００２３】
例えば、手術室内においては、クロルヘキシジン等の消毒薬や滅菌蒸留水等は前記カテーテル１０とは別の、同じ形態及び材質を有するチューブに入れて用いられることもある。この場合において、前記カテーテル１０は、前記粘液容器２４及び第１チューブ２６等と接続されたまま前記容器３４内に挿入されるものであってもよい。このようにすれば、前記カテーテル１０の先端すなわち前記開口１４、側部開口１６、１８が前記第１部材３６と接触させられ、吸引圧によりその第１部材３６が吸い付けられてそのカテーテル１０からの吸引が止まるため、前記コック３２を保管の度に閉める手間を省くことができ、都合がよいという利点がある。
【００２４】
図８は、前記容器３４が床面に平行な天板６２を有する麻酔器等の台６０に固定された様子を示す平面図であり、図９は、その容器３４を図８の矢印ＩＸで示す方向から見た正面図である。前記容器３４は、また、好適には、図８及び図９に示すように、前記第３部材４０が上記台６０の天板６２に固定具である粘着テープ５８等により固定されて用いられる。このようにしても前記第１部材３６内に好適に消毒液を湛えることができ、前記カテーテル１０を曲げずに簡単に保管することができる。なお、この態様では、前記第４部材４８が上記台６０の天板６２の外周縁に接触させられるため、前記第２部材３８がその天板６２ひいては図示しない床面に対して略平行に保たれるようになっている。
【００２５】
図１０は、前記容器３４が床面に平行に渡された横木６４（必ずしも木材には限られない）に固定された様子を示す平面図であり、図１１は、その容器３４を図１０の矢印ＸＩで示す方向から見た正面図である。前記容器３４は、また、好適には、図１０及び図１１に示すように、上記第３部材４０の第２固定補助穴５２に通された固定具である粘着テープ５８等を介して上記横木６４に固定されて用いられる。このようにしても前記第２部材３８を床面に対して略平行に保つことができ、前記第１部材３６内に好適に消毒液を湛えられるため、前記カテーテル１０を曲げずに簡単に保管することができる。
【００２６】
このように、本実施例によれば、前記カテーテル１０を内包し得る袋状を成す防水性の第１部材３６と、その第１部材３６と一体的に設けられた、その第１部材３６に連通する開口４２を有する第２部材３８と、その第２部材３８を所定位置に固定するためにその第２部材３８と一体的に設けられた第３部材４０とを、備えていることから、前記第１部材３６に消毒液を入れてその中に前記カテーテル１０を浸漬し、前記第３部材４０により前記容器３４を所定位置に固定することで、前記カテーテル１０を曲げずに簡単に保管することができる。すなわち、前記カテーテル１０に癖をつけることなく清潔状態を保ったまま保管し得る容器３４を提供することができる。
【００２７】
また、前記第２部材３８及び第３部材４０は、１枚の平板状部材として一体に形成されたものであるため、前記容器３４を粘着テープ５８等の固定具により簡単に固定できるという利点がある。
【００２８】
また、前記第３部材４０は、前記平板状部材を所定位置に固定する固定具を取り付け易くするための第１固定補助穴５０及び第２固定補助穴５２を厚み方向に貫通して有するものであるため、前記容器３４を粘着テープ５８等の固定具により更に簡単に固定できるという利点がある。
【００２９】
また、前記平板状部材は、前記第２部材３８及び第３部材４０が互いに垂直を成すように折り曲げ易くするための折り筋４６を有するものであるため、前記容器３４を立設された支柱５６等に好適に固定できるという利点がある。
【００３０】
また、前記第２部材３８及び第３部材４０が互いに垂直を成すように折り曲げられたとき、それら第２部材３８及び第３部材４０に接触してそれ以上内側に折り曲げられないようにするための第４部材４８を備えたものであるため、前記容器３４を立設された支柱５６等に更に好適に固定できるという利点がある。
【００３１】
また、前記カテーテル１０が前記第１部材３６に内包され、且つ前記平板状部材におけるその第１部材３６が設けられていない側の面に前記開口４２を塞ぐための膜材４４が貼られたものであるため、前記容器３４を出荷から開封に至るまでの包装として使用できるという利点がある。
【実施例２】
【００３２】
続いて、本発明の他の好適な実施例を図面に基づいて詳細に説明する。なお、以下の説明に用いる図面に関して、前述した第１実施例と重複する部分については同一の符号を付してその説明を省略する。
【００３３】
図１２は、本発明の一実施例である気管内吸引カテーテルの容器６６（以下、単に容器６６と称する）を第２部材３８及び第３部材４０に垂直な方向から見た平面図である。この図１２に示すように、本第２実施例の容器６６に備えられた第２部材３８は、テーパ状、円筒状、乃至は多角不整形状を成す所定の容器を保持するための円形の保持穴６８を厚み方向に貫通して有するものである。この所定の容器とは、例えば、内面に合成樹脂コーティングの施された、前記第１部材３６に注ぐ消毒液（手術室等において短時間の使用で廃棄される場合には、消毒液でなく滅菌蒸留水や生理食塩水等で代用される）を汲み置くための紙コップ７０等であり、図１３に示すように、上記容器６６が所定位置に固定されて前記第２部材３８が床面に対して略平行とされた状態で上記紙コップ７０が上記保持穴６８に挿入されることで、その紙コップ７０に湛えられた消毒液がこぼれないように保持することができる。また、その一部（例えば、開口の周縁）が外周側に向けて迫り出した円筒状の容器等も上記保持穴６８により好適に保持され得る。
【００３４】
このように、本第２実施例によれば、前記第２部材３８は、テーパ状を成す容器である紙コップ７０を保持するための円形の保持穴６８を厚み方向に貫通して有するものであるため、その紙コップ７０に消毒液等を入れて好適に備え置くことができるという利点がある。
【実施例３】
【００３５】
図１４は、本発明の一実施例である気管内吸引カテーテルの容器７２（以下、単に容器７２と称する）を第２部材３８及び第３部材４０に垂直な方向から見た平面図である。この図１４に示すように、本第３実施例の容器７２に備えられた第２部材３８には、前記開口４２から外側に向けて切欠部７４が設けられている。この切欠部７４は、前記カテーテル１０の一部を嵌め付け得るように形成されており、図１４及び図１５に示すように、上記容器７２が所定位置に固定された状態で前記カテーテル１０が斯かる切欠部７４に嵌め付けられることで、前記第１部材３６内におけるそのカテーテル１０の位置を定めることができる。このため、前記カテーテル１０をより好適に保管することができると共に、前記容器７２からそのカテーテル１０の落下を防ぎ、且つ取り出し易くなるという利点がある。
【００３６】
以上、本発明の好適な実施例を図面に基づいて詳細に説明したが、本発明はこれに限定されるものではなく、更に別の態様においても実施される。
【００３７】
例えば、前述の実施例において、前記第２部材３８及び第３部材４０は、１枚の平板状部材として一体に形成されたものであったが、本発明はこれに限定されるものではなく様々な態様が考えられる。図１６は、本発明の更に別の実施例である気管内吸引カテーテルの容器７６（以下、単に容器７６と称する）を説明する斜視図である。この図１６に示すように、前記第１部材３６と一体的に設けられた開閉可能な矩形枠状の第２部材７８と、その第２部材７８を所定位置に固定するためにその第２部材７８と一体的に設けられた折り曲げ易い針金状の第３部材８０とを、備えた容器７６であってもよい。このように構成された容器７６は、上記第３部材８０が前記支柱５６又は横木６４等に巻き付けられることによって所定位置に固定されて用いられる。斯かる容器７６によっても前記第１部材３６内に好適に消毒液を湛えることができ、前記カテーテル１０を曲げずに簡単に保管することができる。
【００３８】
また、前述の実施例において、前記保持穴６８は、所定の径寸法を有する円形状の穴が前記第２部材３８の厚み方向に貫通して設けられたものであったが、例えば、図１７に示すように、前記保持穴６８の周囲にその保持穴６８よりも大きな径寸法を有する同心円状のミシン目８２が形成されたものであってもよい。前記第２部材３８は、このミシン目８２で容易にちぎりとれるようになっており、このようにすれば、前記紙コップ７０の大きさに合わせて好適な保持穴を形成できるという利点がある。
【００３９】
また、前述の実施例において、前記カテーテル１０は、人体の気管内における痰等の粘液を吸引除去するための気管内吸引カテーテルであったが、本発明の容器は、中心静脈カテーテルや尿管カテーテル等の他のカテーテルの容器としても好適に用いられるものである。
【００４０】
また、前述の実施例において、前記容器３４等は、前記カテーテル１０の保持具として機能すると共に、そのカテーテル１０の出荷乃至は販売段階では包装として機能するものであったが、単に保持具としてのみ用いられるものであっても構わない。
【００４１】
また、前述の実施例において、前記第２部材３８及び第３部材４０の間には折り筋４６が形成されていたが、斯かる折り筋４６は必ずしも設けられなくともよく、それら第２部材３８及び第３部材４０の間に境界のない１枚の平板状部材であっても構わない。
【００４２】
また、前述の実施例において、前記容器３４等は、前記粘着テープ５８により所定位置に固定されるものであったが、例えば、輪ゴムや紐等の他の固定具により固定されるものであっても構わない。
【００４３】
その他、一々例示はしないが、本発明はその趣旨を逸脱しない範囲内において種々の変更が加えられて実施されるものである。
【図面の簡単な説明】
【００４４】
【図１】本発明の容器に好適に収容される気管内吸引カテーテルを説明する図である。
【図２】図１の気管内吸引カテーテルが吸引装置に取り付けられた様子を説明する模式図である。
【図３】図１の気管内吸引カテーテルが本発明の一実施例である気管内吸引カテーテルの容器に収容されている様子を示す平面図である。
【図４】図３の気管内吸引カテーテルの容器を矢印ＩＶで示す方向から見た正面図である。
【図５】図３の気管内吸引カテーテルの容器が床面に垂直に立設された支柱に固定された様子を示す平面図である。
【図６】図５の気管内吸引カテーテルの容器を矢印ＶＩで示す方向から見た正面図である。
【図７】図６の気管内吸引カテーテルの容器を矢印ＶＩＩで示す方向から見た側面図である。
【図８】図３の気管内吸引カテーテルの容器が床面に平行な天板を有する台に固定された様子を示す平面図である。
【図９】図８の気管内吸引カテーテルの容器を矢印ＩＸで示す方向から見た正面図である。
【図１０】図３の気管内吸引カテーテルの容器が床面に平行に渡された横木に固定された様子を示す平面図である。
【図１１】図１０の気管内吸引カテーテルの容器を矢印ＸＩで示す方向から見た正面図である。
【図１２】本発明の他の実施例である気管内吸引カテーテルの容器を第２部材及び第３部材に垂直な方向から見た平面図である。
【図１３】図１２の気管内吸引カテーテル容器が床面に垂直に立設された支柱に固定され、その保持穴に紙コップが取り付けられた様子を示す正面図である。
【図１４】本発明の更に別の実施例である気管内吸引カテーテルの容器を第２部材及び第３部材に垂直な方向から見た平面図である。
【図１５】図１４の気管内吸引カテーテル容器が床面に垂直に立設された支柱に固定され、その切欠部に気管内吸引カテーテルが嵌め付けられた様子を示す正面図である。
【図１６】本発明の更に別の実施例である気管内吸引カテーテルの容器を説明する斜視図である。
【図１７】本発明の更に別の実施例である気管内吸引カテーテルの容器を第２部材及び第３部材に垂直な方向から見た平面図である。
【符号の説明】
【００４５】
１０：気管内吸引カテーテル
３４、６６、７２、７６：気管内吸引カテーテルの容器
３６：第１部材
３８：第２部材（平板状部材）
４０：第３部材（平板状部材）
４２：開口
４４：膜材
４６：折り筋
４８：第４部材
５０：第１固定補助穴
５２：第２固定補助穴
５８：粘着テープ（固定具）
６８：保持穴
７０：紙コップ（容器）
７８：第２部材
８０：第３部材
【図１】
2005342084.tif 000003
【図２】
2005342084.tif 000004
【図３】
2005342084.tif 000005
【図４】
2005342084.tif 000006
【図５】
2005342084.tif 000007
【図６】
2005342084.tif 000008
【図７】
2005342084.tif 000009
【図８】
2005342084.tif 000010
【図９】
2005342084.tif 000011
【図１０】
2005342084.tif 000012
【図１１】
2005342084.tif 000013
【図１２】
2005342084.tif 000014
【図１３】
2005342084.tif 000015
【図１４】
2005342084.tif 000016
【図１５】
2005342084.tif 000017
【図１６】
2005342084.tif 000018
【図１７】
2005342084.tif 000019